(57)【要約】【課題】基準となる時刻を定めてこの時刻を起点として波形表示位置を求めることで測定値と時刻の関連付けを直感的に認識でき、サーキュラ表示を拡大表示して視認性を向上させると共に、拡大表示から全体表示のイメージをつかみやすくした表示装置を提供する。【解決手段】測定波形をサーキュラ表示する表示装置において、予め設定された基準時と測定時刻との時間差を計算する時刻偏差計算手段と、前記時間差、表示の更新周期および測定値に基づき前記基準時を起点とした前記波形の表示位置を計算する表示位置計算手段と、前記表示位置に基づいて波形データを作成する波形データ作成手段と、を有することを特徴とする表示装置。【選択図】図１
2008058335.tif 000002
【特許請求の範囲】
【請求項１】
測定波形のＡ／Ｄデータから波形データを生成してサーキュラ表示する表示装置において、
予め設定された基準時と測定時刻との時間差を計算する時刻偏差計算手段と、
前記時間差および表示の更新周期に基づき前記基準時を起点とした前記測定波形の表示位置を計算する表示位置計算手段と、
前記表示位置と前記Ａ／Ｄデータに基づいて波形データを作成する波形データ作成手段と、
を有することを特徴とする表示装置。
【発明の詳細な説明】
【技術分野】
【０００１】
本発明は、測定データを表示する表示装置に関し、特に波形をサーキュラ表示する表示装置に関するものである。
【背景技術】
【０００２】
従来、測定波形を円形グラフ状に表示するサーキュラ表示は、複数の測定チャンネルのデータ表示に用いられている。
従来の表示装置におけるサーキュラ表示には、画面上の測定波形の描画開始位置を固定し、描画開始位置に対し描画シートを一方向に回転させつつ波形データを連続的に描画させるものを始めとして、最新の値が常に同じ位置に表示され、古いデータの表示位置を移動させるものや、描画開始位置から任意の角度範囲を切り出して拡大して表示する構成のものがある（例えば特許文献１）。
【０００３】
図６は、従来における表示装置の一例を示した構成図である。
図６において、測定部１は、電圧などの入力信号を正規化したアナログ信号をディジタル変換してＡ／Ｄデータを生成する。
制御手段６１は、Ａ／ＤデータをＳＲＡＭ（Ｓｔａｔｉｃ  Ｒａｎｄｏｍ  Ａｃｃｅｓｓ  Ｍｅｍｏｒｙ）などから成るメモリ２に格納する。また、作業者が設定したサーキュラ表示１周の時間から更新周期を求め、この更新周期ごとに表示コントローラ６３を介して波形表示を更新する。
【０００４】
波形データ作成手段６２は、更新周期ごとに全体表示位置計算手段６５に全体表示に対する測定波形の表示位置を計算させて、Ａ／Ｄデータからサーキュラ形状に波形データを作成する。
全体表示位置計算手段６５は、測定波形の描画開始位置を固定して、測定の経過時間と更新周期から表示位置の計算を行う。
表示コントローラ６３は、作成した波形データを液晶表示器などの表示器６４上に表示させる。データ等のやり取りはバス１３を介して行われる。作業者は操作パネル１２から装置の操作を行う。
【０００５】
図７は、従来の表示装置の一表示例を示した図である。
図７は、複数の測定チャンネルの測定波形をサーキュラ表示したものであり、１周で１２時間分の測定波形が描画されるもので、中心軸周りに１時間間隔でセクタ状に分割されている。真上となる上部中央位置（０時の位置）に描画開始位置が固定され、０時の位置から時計回りに波形データを連続的に描画させていく。
【０００６】
【特許文献１】特開２００２−１３１３３９号公報
【発明の開示】
【発明が解決しようとする課題】
【０００７】
従来の表示装置におけるサーキュラ表示では、画面の大きさの制限があるため、チャートタイプのサーキュラレコーダと比較すると小さな表示しかできなかった。そのため、細部の視認性が落ちていた。これに対応するため、描画開始位置から任意の角度範囲を切り出して、拡大して表示すると、全体イメージがつかみ難くなるという弊害が生じる。
【０００８】
また、描画開始位置が固定されていて、例えば必ず０時の位置から測定波形を表示するため、実際に描画した波形から、測定時刻の位置を求める場合、セクタ状に分割する線（グリッド）に示される時刻をもとに測定時刻を概算する必要があった。さらに、グリッド上の時刻はその位置に相当する測定が行われるまで表示されないため、グリッド上の時刻が表示されるまで正しい時刻を推測することは困難であるという問題があった。
【０００９】
本発明は上述した問題点を解決するためになされたものであり、基準となる時刻を定めてこの基準時を起点として波形表示位置を求めることで、時刻との関連付けを直感的に認識でき、サーキュラ表示を拡大表示して視認性を向上させると共に、拡大表示から全体表示のイメージをつかみやすくした表示装置を提供することを目的とする。
【課題を解決するための手段】
【００１０】
本発明は次の通りの構成になった表示装置である。
【００１１】
（１）測定波形のＡ／Ｄデータから波形データを生成してサーキュラ表示する表示装置において、
予め設定された基準時と測定時刻との時間差を計算する時刻偏差計算手段と、
前記時間差および表示の更新周期に基づき前記基準時を起点とした前記測定波形の表示位置を計算する表示位置計算手段と、
前記表示位置と前記Ａ／Ｄデータに基づいて波形データを作成する波形データ作成手段と、
を有することを特徴とする表示装置。
【発明の効果】
【００１２】
本発明によれば、以下のような効果がある。
請求項１に記載の発明によれば、基準時と測定時刻との時間差および更新周期から表示位置を計算して基準時を起点として測定波形をサーキュラ表示することにより、測定値と時刻との関連が直感的に認識できるようになり測定時刻を容易に読み取ることができる。    
【発明を実施するための最良の形態】
【００１３】
図１は本発明の一実施例を示した構成図である。
尚、図１で前出の図と同様のものは同様の符号を付けてその部分の説明は省略する。
【００１４】
図１において、制御手段４は、ＳＲＡＭなどから成るメモリ２にＡ／Ｄデータを格納すると共に、作業者が設定したサーキュラ表示１周の時間から波形表示を更新する周期を求め、更新周期ごとに表示コントローラ８を介して波形表示を更新する。
時刻偏差計算手段１０は、予め設定された基準時と表示する測定波形の測定時刻との時間差を計算する。
【００１５】
破線で囲まれた表示位置計算手段３は、全体表示位置計算手段３１と拡大表示位置計算手段３２から構成される。
全体表示位置計算手段３１は、サーキュラ表示の全体表示が指定されている場合に、時刻偏差計算手段１０が計算した基準時と測定時刻との時間差および更新周期から基準時を起点とした全体表示における表示位置を計算する。
波形データ作成手段６は、上述の表示位置とＡ／Ｄデータからサーキュラ形状で波形データを作成する。また、上述の時間差が更新周期を超えていると、それに応じてサーキュラ表示上で表示される時刻も更新周期に相当する時間を加算して更新していく。
【００１６】
つまり、更新周期で１周の時間が決まるので、基準時をサーキュラ表示上のある点（例えば０時の位置）に設定して基準時を起点とした時刻表示をする。測定時刻が起点から何時間後であるかにより表示位置が計算できる。
また、測定時刻と基準時との時間差が更新周期を超過した場合には、その時間差が、何回分の表示更新に相当する時間であるかを求める。これに合わせて表示されている時刻に更新周期を加算する。そして、更新周期に満たない残った時間から表示位置がどこであるかが計算できる。
【００１７】
作成した波形データは、制御手段４により表示コントローラ８を介して液晶表示器などの表示器９に表示される。
【００１８】
図２は、本発明における一表示例を示した図である。
図２は、複数の測定チャンネルの測定波形をサーキュラ表示したものであり、全体表示（１周）で１２時間分（更新周期１２時間）の波形が描画されるもので、中心軸周りに１．５時間間隔でセクタ状に分割されている。午前０時を基準時とし、午前０時からの時間差を計算して、その計算値と更新周期から全体表示上での表示位置を求めて、波形イメージを連続的に描画させていく。時刻表示は、真上となる上部中央位置（０時の位置）に午前０時が設定されている。図示しないが測定時刻が正午を過ぎれば上部中央位置（０時の位置）の時刻表示「００：００：００」が「１２：００：００」に更新される。
【００１９】
図１に戻り、拡大表示位置計算手段３２は、拡大表示させたい部分の測定波形の位置を測定時刻と基準時との時間差と更新周期から計算する。
波形データ作成手段６は、拡大表示位置計算手段３２が求めた表示位置の計算値とＡ／Ｄデータを用いて、拡大表示させたい部分が属する所定の範囲を全体表示から切り取ったイメージで、所定の大きさに拡大して表示する拡大表示波形データを生成する。
尚、拡大表示の範囲は、所定の時間間隔で全体表示範囲を分割した分割範囲である。
【００２０】
図３は、１／４周部の拡大表示の一表示例を示した図である。
図３は、図２の全体表示範囲を０時の位置から均等に４分割したときの左上１／４周部の拡大表示であり、最新の波形イメージを表示する１／４周部である。前出の拡大表示位置計算手段３２を用いて１／４周に対する表示位置が計算される。
【００２１】
図４は、拡大表示における画面更新の順序の一例を示した説明図である。
図４は、図２の全体表示を４分割した場合の分割表示画面が切替る順序を示すものである。
図４において、表示画面４１の波形表示エリア４２に、測定に伴い波形４３ａから４３ｄを表示していく。１／４周表示では１／４周分の波形描画を終えると矢印の示すように（ａ），（ｂ），（ｃ），（ｄ）の順に切り替わり波形描画を続ける。
これは、前出の時刻偏差計算手段１０による基準時と測定時刻の時間差と更新周期から表示位置を求めることで、次に描画する１／４周部分を認識でき、１／４周部の表示を切り替えていくことで実現できる。
【００２２】
これらの構成により、例えば上述の基準時を午前０時にして、測定波形の更新周期を１２時間とすると、波形の表示位置と時計の表示とを対応させることができ、測定時刻が直感的に認識できる。
また、２４時間を端数無しに割り切ることができる時間（例えば１時間、４時間、８時間など）に更新周期を設定すれば、更新周期を整数倍した時刻が所定の表示位置（例えば上部中央位置）に表示されるため、時刻表示が常に正時から始まり、測定時刻を認識する上で有効である。
【００２３】
尚、正時とは、１時、２時などのように、分・秒の端数のつかない丁度の時刻であり、例えば１周が２４時間の場合は午前０時であり、時刻の所定の表示位置を真上となる上部中央位置（０時の位置）にした場合では、真上が常に午前０時となるようにできる。
正時を上部中央位置（０時の位置）に表示することを可能にして、測定波形から測定値を読み取る場合等に、時刻の関連付けを直感的にすることを可能にした。従来はグリッドの時刻をもとに時刻を概算する必要があったが、グリッド上の時刻がなくても、表示されている波形の位置で時刻を容易に概算できるようになる。
【００２４】
また、拡大表示を行うことにより視認性を向上させることができる。例えば１０．４インチの液晶表示器であっても２０．８インチ相当の表示を行うことができる。
さらに、拡大表示を行った場合でも、測定時刻が認識し易くなると共に順に拡大範囲を切り替えていくことができるため、拡大表示をしていても全体のイメージを把握し易くなる。
加えて、基準時を作業者に任意に設定させてもよい。これによれば、例えば始業時間を基準時に設定することにより、始業時間から測定時刻までの経過時間を容易に認識することができる。
また、正時を０時の位置に表示する本発明と、波形表示のスタート時点を０時の位置に表示する従来の表示とを、画面操作メニュー等により切り替えるようにしてもよい。
【００２５】
図１に戻り、波形参照手段１１は、前述の拡大表示された測定波形を過去の波形として表示する参照波形表示に切り替える。具体的には、波形データ作成手段６を用いて、メモリに格納されているＡ／Ｄデータから拡大表示する範囲の波形データを作成し、表示コントローラ８を介して表示器９に表示させるものである。
例えば、全体表示を均等に４分割した場合では、カーソル操作で１／４周毎に過去の波形表示を遡って表示させたり、遡った波形表示を元に戻したりする。Ａ／Ｄデータがある限り過去に遡ることができる。Ａ／Ｄデータの代わりに波形データを保存しておきこれを用いて波形表示させてもよい。
【００２６】
図５は、拡大表示で過去の測定波形を表示させる動作の一例を示した説明図である。
図５において、（ａ）は通常の拡大表示を示しており、表示画面５１には波形表示エリア５２が設けられ、波形５３の描画が継続されている。
この時に、カーソルキー「上」を押すことにより、過去の波形を表示する参照波形表示（（ｂ）から（ｅ））に切替る。（ｂ）において、表示画面５１には、波形表示エリア５４が設けられ波形５５を表示する。波形５５の背景（波形表示エリア５４）の色は（ａ）の表示エリア５２とは異なる色とし、現在の波形でないことを明示的に区別できるようにしている。
【００２７】
例えば１／４周表示で過去の波形を表示させる場合では、カーソルキー「上」の操作で、（ａ），（ｂ），（ｃ），（ｄ），（ｅ）の順で１／４周毎に過去の測定波形（波形５５から波形５８）を遡って表示させ、カーソルキー「下」の操作で遡った波形表示を元に戻す。このような参照波形表示では、過去のデータ（Ａ／Ｄデータや波形データ）がメモリ２に格納されている限り過去に遡ることができる。
【００２８】
これにより、画面操作メニュー等を開くことなく、簡単に過去の測定波形を参照することができるので、測定波形の確認が容易になる。
尚、拡大表示として１／４周部表示（４分割）を例示したがこれに限るものではない。さらには、任意に拡大する部分を指定するようにしてもよい。
また、これまで説明してきた各手段は、例えばプロセッサとプログラムにより実現することが可能である。
【図面の簡単な説明】
【００２９】
【図１】本発明の一実施例を示した構成図である。
【図２】本発明における一表示例を示した図である。
【図３】１／４周部の拡大表示の一表示例を示した図である。
【図４】拡大表示における画面更新の順序の一例を示した説明図である。
【図５】拡大表示で過去の測定波形を表示させる動作の一例を示した説明図である。
【図６】従来における表示装置の一例を示した構成図である。
【図７】従来の表示装置の一表示例を示した図である。
【符号の説明】
【００３０】
３  拡大表示手段
６  表示位置計算手段
１０  時刻偏差計算手段
１１  波形参照手段
【図１】
2008058335.tif 000003
【図２】
2008058335.tif 000004
【図３】
2008058335.tif 000005
【図４】
2008058335.tif 000006
【図５】
2008058335.tif 000007
【図６】
2008058335.tif 000008
【図７】
2008058335.tif 000009